(57)【要約】  【課題】分解することなくフィルタを反転することが可能な排ガス浄化装置を提供する。  【解決手段】ケーシング32の少なくとも対向する内側面に設けた円弧状凹溝31に、支持枠36の円弧状凸面35を回転自在に嵌合する。支持枠36よりケーシング32の外部へ回転軸37を突設して、外部よりこの支持枠36を回転可能とする。支持枠36の内部に反転使用可能なフィルタ38を一体に設ける。ケーシング32は、内周面全周に円弧状凹溝31を有する円筒体とし、支持枠36は、外周面全周に円弧状凸面35を有する円環体とする。  【選択図】図１
2005299437.tif 000002
【特許請求の範囲】
【請求項１】
少なくとも対向する内側面に円弧状凹溝を有するケーシングと、
ケーシングの円弧状凹溝に回転自在に嵌合された円弧状凸面を有する支持枠と、
支持枠よりケーシングの外部へ突設され外部より支持枠を回転可能とする回転軸と、
支持枠の内部に一体に設けられた反転使用可能なフィルタと
を具備したことを特徴とする排ガス浄化装置。
【請求項２】
ケーシングは、内周面全周に円弧状凹溝を有する円筒体であり、
支持枠は、外周面全周に円弧状凸面を有する円環体である
ことを特徴とする請求項１記載の排ガス浄化装置。
【発明の詳細な説明】
【技術分野】
【０００１】
本発明は、フィルタを反転使用可能な排ガス浄化装置に関するものである。
【背景技術】
【０００２】
図３は、作業機械としての油圧ショベル11を示し、この油圧ショベル11は、下部走行体12に上部旋回体13が旋回可能に設けられ、この上部旋回体13にキャブ14、動力装置15、作業装置16がそれぞれ搭載されている。
【０００３】
動力装置15には、油圧ポンプを駆動するためのエンジン17が搭載され、さらに、このエンジン17上には、図４にも示されるように排ガス浄化装置（マフラ）18が搭載されている。
【０００４】
図５は、この排ガス浄化装置18を示し、エンジンからの排気管が接続されるエンジン接続孔22を有する入口側ケーシング23と、外部への排気管24を有する出口側ケーシング25との間に、多孔質セラミックス製ハニカム構造体などで構成したセラミックスフィルタ26のフィルタケーシング26aが嵌着され、締着金具27を有する結合バンド28により、入口側ケーシング23とフィルタケーシング26aとを、また出口側ケーシング25とフィルタケーシング26aとを、それぞれシール部材29a，29bを介して結合している。
【０００５】
この種のハニカム構造のセラミックスフィルタ26は、フィルタ目詰りを防止したり、フィルタ寿命を伸ばすため、一定期間ごとに反転させる必要があり、その度に入口側ケーシング23とフィルタケーシング26aとを、また出口側ケーシング25とフィルタケーシング26aとを分解し、セラミックスフィルタ26を反転して付け直し、ケーシング23，25，26aを再度結合する作業が必要となる。
【０００６】
また、切換バルブによってフィルタ内の流路方向が逆向きとなるようにしたディーゼルエンジンの黒煙浄化装置もある（例えば、特許文献１参照）。
【特許文献１】特開２００２−１３４０９号公報（第３頁、図２）
【発明の開示】
【発明が解決しようとする課題】
【０００７】
このように、ケーシング23，25，26aを分解してセラミックスフィルタ26を反転させるものは、ケーシング分解、フィルタ反転付け直し、ケーシング再結合の煩雑な作業が必要となり、簡単にフィルタを反転できない。このため、ユーザは反転せずに長時間使用することが多く、目詰りが生じたり、フィルタの寿命が短くなる問題がある。
【０００８】
また、切換バルブによってフィルタ内の流路方向を逆向きにするものは、図５に示されたコンパクトなマフラ構造に適用できない問題がある。
【０００９】
本発明は、このような点に鑑みなされたもので、分解することなくフィルタを反転することが可能な排ガス浄化装置を提供することを目的とするものである。
【課題を解決するための手段】
【００１０】
請求項１記載の発明は、少なくとも対向する内側面に円弧状凹溝を有するケーシングと、ケーシングの円弧状凹溝に回転自在に嵌合された円弧状凸面を有する支持枠と、支持枠よりケーシングの外部へ突設され外部より支持枠を回転可能とする回転軸と、支持枠の内部に一体に設けられた反転使用可能なフィルタとを具備した排ガス浄化装置であり、一定期間のフィルタ使用により、このフィルタに目詰りなどが生じた場合は、回転軸をケーシングの外部から回動操作して、円弧状凸面を有する支持枠をケーシングの円弧状凹溝内で反転させることで、ケーシングを分解することなく、支持枠内のフィルタを反転させ、フィルタ目詰り解消、フィルタ寿命の延長を図る。
【００１１】
請求項２記載の発明は、請求項１記載の排ガス浄化装置におけるケーシングを、内周面全周に円弧状凹溝を有する円筒体とし、支持枠は、外周面全周に円弧状凸面を有する円環体としたものであり、これにより、円筒状のケーシング内に支持枠を反転可能に組込むことが可能となる。
【発明の効果】
【００１２】
請求項１記載の発明によれば、一定期間のフィルタ使用により、このフィルタに目詰りなどが生じた場合は、回転軸をケーシングの外部から回動操作して、円弧状凸面を有する支持枠をケーシングの円弧状凹溝内で反転させることで、ケーシングを分解することなく、支持枠内のフィルタを反転させ、フィルタ目詰り解消、フィルタ寿命の延長を図ることができる。
【００１３】
請求項２記載の発明によれば、円筒状のケーシング内に支持枠を反転可能に組込むことができる。
【発明を実施するための最良の形態】
【００１４】
以下に、本発明を図１および図２に示された一実施の形態を参照しながら詳細に説明する。
【００１５】
図２に示されるように、少なくとも対向する内側面に円弧状凹溝31を有するケーシング32の入口側に、エンジンからの排気管が接続されるエンジン接続孔33が設けられ、反対側の出口側に、外部への排気管34が設けられている。
【００１６】
このケーシング32の円弧状凹溝31に、円弧状凸面35を有する支持枠36が回転自在に嵌合されている。
【００１７】
図１に示されるように、支持枠36の上部および下部よりケーシング32の外部へ回転軸37が突設され、この回転軸37を回転操作して、外部より支持枠36を回転可能となっている。
【００１８】
この支持枠36の内部には反転使用可能なフィルタ38が一体に設けられている。このフィルタ38は、例えば、多孔質セラミックス製ハニカム構造体に酸化触媒を担持させたセラミックスフィルタである。
【００１９】
ケーシング32は、角筒状に形成してもよいが、図１および図２に示されたケーシング32は、内周面全周に円弧状凹溝31を有する円筒体であり、この場合、内周面全周の円弧状凹溝31は球面状凹溝となっている。
【００２０】
同様に、支持枠36は、角枠状に形成してもよいが、図１および図２に示された支持枠36は、外周面全周に円弧状凸面35を有する円環体であり、この場合、外周面全周の円弧状凸面35は球面状凸面となっている。
【００２１】
このように、フィルタ38を球面状の支持枠36内に固定して、ケーシング32内に反転可能に納め、回転軸37で外部から反転できる構造とする。
【００２２】
そして、一定期間のフィルタ使用により、フィルタ38に目詰りなどが生じた場合は、回転軸37をケーシング32の外部から回動操作して、支持枠36の円弧状凸面35をケーシング32の円弧状凹溝31内で反転させることで、ケーシング32を分解することなく、支持枠36内のフィルタ38の入口側と出口側とを簡単に反転させることができるので、フィルタ目詰り防止、フィルタ目詰り解消およびフィルタ寿命の延長を容易に図ることができる。
【００２３】
また、ケーシング32と支持枠36とを球面で嵌合させたので、図５に示された従来例のように円筒状のケーシング32内に支持枠36を反転可能に組込むことができ、円筒形のコンパクトなマフラ構造にそのまま適用できる。
【００２４】
なお、図１および図２に示されたケーシング32は、図面上は全長が一体のものであるが、図５に示された従来例のように、分解可能な複数のケーシングを結合手段で結合する構造にするか、または、回転軸37を境にしてケーシングを分割可能とするか、あるいは、ケーシングを上下分割可能とすることで、フィルタ交換を可能とし、例えば500時間はフィルタ38の一側面を入口側に向けて使用し、残りの500時間はフィルタ38を反転させて、その他側面を入口側に向けて使用し、1000時間経過した時点で、そのフィルタ38をケーシング32内から取出して新しいものと交換する。
【図面の簡単な説明】
【００２５】
【図１】本発明に係る排ガス浄化装置の一実施の形態を示す中央部を破断した正面図である。
【図２】同上排ガス浄化装置の中央部を破断した平面図である。
【図３】油圧ショベルの側面図である。
【図４】油圧ショベルの動力装置の断面図である。
【図５】従来の排ガス浄化装置を示す一部破断の正面図である。
【符号の説明】
【００２６】
31    円弧状凹溝
32    ケーシング
35    円弧状凸面
36    支持枠
37    回転軸
38    フィルタ
【図１】
2005299437.tif 000003
【図２】
2005299437.tif 000004
【図３】
2005299437.tif 000005
【図４】
2005299437.tif 000006
【図５】
2005299437.tif 000007